(57)【要約】      （修正有）【課題】ファスナー開口に障害とならず、取り付け製作容易な開封インジケータ付き袋と、その製造装置の提供。【解決手段】開・閉手段8 が取り付けられた開口部5 を形成する二つの側面2,3 と、開・閉手段8 を作動させるためのスライダ7 と、開封インジケータ手段6 とを有する開閉自在のバッグ1 であって、開封インジケータ手段6 が、開・閉手段8 および作動用のスライダ7 の外表面に接合されたストリップから構成されることを特徴とする再密閉可能なバッグと、そのようなバッグの製造装置。【選択図】図３
2005138859.tif 000002
【特許請求の範囲】
【請求項１】
開・閉手段(8) が取り付けられた開口部(5) を形成する二つの側面(2,3) と、前記開・閉手段(8) を作動させるためのスライダ(7) と、開封インジケータ手段(6) とを有する再密閉可能なバッグ(1) であって、前記開封インジケータ手段(6) が、開・閉手段(8) および作動用のスライダ(7) の外表面に接合されたストリップを備え、該ストリップが、開・閉手段(8) の外表面の幅に実質上等しい幅を有し、また該開・閉手段(8) の長さよりも実質上大きな長さを有していることにより、使用者が掴むことのできる少なくとも１の端部(17)を形成することを特徴とする再密閉可能なバッグ。
【請求項２】
横縁部(40)の少なくとも一方の上部において、粘着ストリップ(6) の端部(17)への近接を容易にすることができる少なくとも１のノッチ(16)を備えた請求項１記載のバッグ。
【請求項３】
バッグの開・閉手段(8) が取り付けられた開口部(5) を形成する二つの側面(2,3) と、前記開・閉手段(8) を作動させるためのスライダ(7) と、開封インジケータ手段(6) とを有する再密閉可能なバッグを製造する装置であって、前記開封インジケータ手段(6) を、開・閉手段(8) および作動用のスライダ(7) の外表面に取り付ける手段を備え、該開封インジケータ手段(6) は、粘着ストリップ(6) を備え、該ストリップが、開・閉手段(8) の外表面の幅に実質上等しい幅を有し、また該開・閉手段(8) の長さよりも実質上大きな長さを有していて、使用者が掴むことのできる少なくとも１の端部(17)を形成することを特徴とする再密閉可能なバッグの製造装置。
【請求項４】
粘着ストリップ(6) を貯蔵する手段を備えていることを特徴とする請求項３記載の装置。
【請求項５】
前記貯蔵手段がボビン(11)を備えていることを特徴とする請求項４記載の装置。
【請求項６】
前記ストリップを前記開・閉手段(8) およびスライダ(7) に取り付けることができる手段を備えたことを特徴とする請求項３ないし５のいずれか１に記載の装置。
【請求項７】
ストリップを取り付ける前記手段が、粘着ストリップ(6) を受け入れる溝を有するディスク形状のプーリ(13)を有し、該プーリはバネ手段(14)によって開・閉手段(8) およびスライダ(7) に向かって押し付けることを特徴とする請求項６記載の装置。
【請求項８】
リンク(12)が、基本的に、一方の側がプーリ(13)のディスクの中心を通過している軸19' に、他方の側がバッグ(1) の側面(2、3)に実質上平行な軸(19)に接続しているロッドを有することを特徴とする請求項７記載の装置。
【請求項９】
バッグ(1) の少なくとも一方の横縁部の上部に少なくとも１のノッチ(16)を形成できる手段を備えたことを特徴とする請求項３ないし８のいずれか１に記載の装置。
【請求項１０】
開・閉手段(8) が取り付けられた開口部(5) を形成する二つの側面(2,3) と、前記開・閉手段(8) を作動させるためのスライダ(7) と、開封インジケータ手段(6) とを有する再密閉可能なバッグの製造方法であって、
−前記バッグはバック(1) の開・閉手段を備えたものとして形成され、またスライダは通過させられるように構成され、
−前記開封インジケータを構成する粘着ストリップ(6) が、開・閉手段(8) およびスライダ(7) の外表面に接合され、使用者が掴むことのできる少なくとも１の端部(17)を形成するために、該ストリップが、開・閉手段(8) の外表面の幅に実質上等しい幅を有し、また該開・閉手段(8) の長さよりも実質上大きな長さを有している、
とする工程を有することを特徴とする再密閉可能なバッグの製造方法。
【請求項１１】
ノッチ(16)が、バッグ(1) の少なくとも一方の横縁部(40)に形成され、粘着ストリップの端部への接近を容易にすることができるとする工程を有することを特徴とする請求項10記載の方法。
【発明の詳細な説明】
【技術分野】
【０００１】
本発明は、開封インジケータ(opening indicator) を備えたプラスチック袋類に関する。
より詳述すれば、本発明は、開／閉プロファイルおよびそのプロファイルを操作するためのスライダ（slider）を有し、開封インジケータを備えたプラスチック袋類に関する。以下、「袋類」は単に「バッグ」とも云う。
【背景技術】
【０００２】
開封インジケータを備えたバッグとしては非常に多くのものがすでに知られている。
図１は、従来技術によるバッグ１の一つの例を模式的に示す。
図１に示すバッグは、その両側を構成する実質上平行な二つの側面２、３を有し、その下端をなす底部４において閉じられており、そしてその包囲部としての底部４の反対側に開口部５を有する。
【０００３】
開口部５からは、使用時にバック１の内部に出入りが可能となっている。この開口部５の位置において、開封インジケータ６が取り付けられており、それは最初の使用時に破れる脆弱（weakness）ライン９を有していて、これにより開封インジケータとして機能する。
【０００４】
バッグ１は、バッグ１を開くためまた閉じるための相補的なプロファイル８を有している。
スライダ７によってこのプロファイルの開・閉を行うことができる。
【０００５】
開封インジケータを備えた他の例のバッグも従来技術では同様である。
図２は、開封インジケータを有するバッグの別の例を模式的に示す。
図２によれば、バッグ１もその両側を構成する実質上平行な側面２、３と、バッグの底部４の反対側に開口部５を有している。
【０００６】
相補的な開・閉プロファイル８は、スライダ７によって常に作動される。
図２の例では、開封インジケータ６は、開口部５を覆っておりまたスライダ７の上を通っているフィルムによって構成されている。
【０００７】
図１の例に示すように、開封インジケータ６は、１またはそれ以上の脆弱ライン９を備えている。各脆弱ライン９は、バッグを使用者に渡されるときには閉じられている。最初の使用時に破壊される。
【０００８】
そのような開封インジケータは、例えば、バッグを購入するときにそのバッグがすでに開放されてしまっているかどうかを容易に知ることができることから、使用者にとって非常に実際的である。
【０００９】
しかし、従来技術によるバッグは完全には満足のゆくものではない。
実際、図１および図２による開封インジケータを構成するフィルム６はバッグの側面部分に取り付けるのが、特にスライダ７が存在することから、困難である。
【００１０】
さらに、フィルムの取り付けには、融着用のジョー(welding jaws)の使用がしばしば必要であるため、そのジョーが同時に前記手段８、側面２、３およびスライダ７を傷つけてしまう。
【００１１】
結局、脆弱化手段９を切り開いた後でもフィルム６はまだ残っていることになり、スライダ７を動かすとき、および／またはバッグへの出入りのときには面倒となるのである。
【発明の開示】
【発明が解決しようとする課題】
【００１２】
本発明は、そのような欠点を解消することを提案するものである。
本発明の目的の一つは、バッグに適用することが困難でない開封インジケータ手段を備えたバッグを提案することである。
【００１３】
開封インジケータの適用は、開/ 閉手段もしくはスライダに損傷を与えるものであってはいけない。
本発明の別の目的は、最初の使用によってバッグを開けてからはバッグに取り付けたままでは残ることがない開封インジケータを提案することである。
【課題を解決するための手段】
【００１４】
この目的を実現するために、本発明にあっては、バッグの開・閉手段が取り付けられた開口部を形成する両側の側面と、これらの手段を動かすスライダと、および開封インジケータを形成する手段とを含む繰り返し閉じることのできる(reclosable)バッグであって、前記開封インジケータ手段が、開・閉手段および駆動用のスライダの外表面に貼り付けられた粘着ストリップを備え、該ストリップが、前記開・閉手段の外表面の幅に実質上等しい幅および当該手段のそれよりも実質上大きい長さをもったストリップであることを特徴とする、再密閉可能なバッグを提案する。
【００１５】
本発明は、同じく、そのようなバッグを製造する方法および機械および方法にも関する。
本発明は、次の特徴によって完成されることが有利である。
【００１６】
−少なくとも前記側面の上部に少なくとも一つのノッチを有し、それらのノッチを設けることで粘着ストリップの一端への接近を容易にする。
本発明のその他の特徴、目的、利点は、以下の説明から明らかであり、それは単に例示のためだけであり、それにより制限されることはなく、そして、添付図面を参照して理解されるべきである。
【発明を実施するための最良の形態】
【００１７】
図３は、製造装置10を通過しつつある一続きのバッグ１を模式的に示す。
図３に示すように、本発明は、開封インジケータ手段を備えた再密閉可能なバッグの自動装置による製造に関する。
【００１８】
本発明は、水平方向に移動するバッグの自動製造のための装置および垂直方向に移動するバッグの製造のための装置に等しく十分に適用可能である。
さらに、本発明は、製造の後の段階において、一つの場所でおよび連続した工程として、必要により、製造地点から場所的に分かれていてもよいが、充填をするバッグの自動製造のための装置にも同様に適用できる。
【００１９】
開封インジケータ手段の取り付けは、そのような手段を備えていない側からバッグに充填をする場合、バッグに充填した後でも、あるいは充填をする前に行ってもよい。
図３において、一連のバッグ１は矢印20の方向、つまり図３の右から左へに移動している。右手側は符号21で、左手側は符号22でそれぞれ示す。
【００２０】
これまでは、バッグ１は、バッグ１の側面を構成する実質上平行な側面２、３を有している。これらの側面２、３は、それぞれバッグ１の下方部を構成する、部位４において折り曲げられるかあるいは融着される１枚または２枚のフイルムから構成される。
【００２１】
側面２、３は、ここでは断面で示すが、バッグの底部４に近い部位はこの図面には示していない。これらは従来よりプラスチックからできている。また、同様に、" プラスチック＋金属フィルム" の組合せのような複合材料から構成してもよく、あるいは例えばカートン( 厚紙) に紙あるいはフィンルムを載せたような種類の材料から構成してもよい。
【００２２】
バッグ１が当業者には公知の慣用手段によって装置10を通過する前に形成されるようなライン15は、連続するバッグ１の間の分離ラインとなり、また同様にそれらの内容物を分離する。各ライン15はバッグ１の両側の横縁部40となる。
【００２３】
ライン15はもちろんバッグが装置10を通過してしまってから適宜手段でもって形成してもよい。
バッグ１の開口部５を形成する部分は、バッグの開・閉手段８を備えている。この手段８は、開口部５に平行に伸びており、例えば、補完的プロファイル、あるいは雄/ 雌タイプのプロファイル、あるいはその他適宜同等手段を備えている。これらの手段８は当業者には知られており、そのような公知のいずれの手段、具体的には従来技術の開封インジケータを備えたものであってもよい。
【００２４】
開・閉手段８は、側面２、３の材料からできていても、あるいは側面に追加的に取付られるものであってもよい。開・閉手段８が側面２、３に追加的に取付られるような場合にあって、開・閉手段８は、側面２、３にそれらをして一緒になることを許容する取付用フィルムをさらに備えている。開・閉手段８のこの取付用フィルムは、これまでのように側面２、３に接着によりあるいは融着により取り付けられる。
【００２５】
開・閉手段８は、同様に、開・閉手段８を開・閉することのできるスライダ７を備えている。
一般に、スライダ７は突き出た二つのフランジ部を有するベースプレートと中心のリブとから構成される。これらのフランジおよびリブによって二つの非平行の溝が形成され、そして、その溝は、スライダの移動方向に応じて、収束性(convergent)あるいは発散性(divergent) の溝を構成する。これにより相補的な開・閉手段８の開・閉を可能とする。スライダ７は、例えば、金属製あるいはプラスチック製であってもよい。
【００２６】
開・閉手段８は、有利には、その長手方向の端部18において、小さな融着部(weld)を備えていて、例えば、通り道の端部22によって、スライダ７が滑ったり、外れたりすることを防止するようにする。端部18は、変更例として、金属リベットを形成する手段あるいはその他の適宜均等手段を備えていてもよい。
【００２７】
図３に示す実用性のある実施形態によれば、開・閉手段８およびスライダ７が設けられたバッグ１は、一方の側21から列になって到着してから装置を通過してゆく。
装置10は、バッグ１の上に開封インジケータを形成する手段６を取り付ける手段を備えている。
【００２８】
一連のバッグ１が装置10を通過する時、開封インジケータ手段６は、開・閉手段８の少なくとも一方の外表面に、そしてスライダ７の少なくとも一方の外表面に取り付けられる。
【００２９】
このときの取り付けは、接合の工程を含む。このときの接合方法は、公知のいずれの方法であってもよく、最初の開封に先立って開・閉手段８上でスライダ７の移動を防止するには十分強力であるが、決して強力すぎない接合を行うことで、スライダ７および開・閉手段８を傷つけずにストリップ６を取り外すことができるようにする。
【００３０】
開封インジケータ手段６は、例えば、開・閉手段８の幅に実質上同一の幅を持ち、その各バッグ１における長さが開・閉手段８の長さより実質的に大きい粘着ストリップから構成される。
【００３１】
バッグ１が装置10を通過してから、ストリップ６は開・閉手段８の外表面およびスライダ７の外表面を覆う。
このように、開封インジケータ手段６を取り外さない限り、スライダ７を動かすことも、また、したがってバッグ１の中に入ることもできない。
【００３２】
装置10は、開・閉手段８に取り付ける前に開封インジケータ手段を貯蔵しておく手段を備えている。
また、それは開封インジケータ手段６を開・閉手段８およびスライダ７に取り付け、そして接着することのできる手段を備えている。
【００３３】
貯蔵手段は、例えば、接着ストリップ６を巻き付けたボビン11から構成される。ストリップ６は、その表面の一方に、開・閉手段８およびスライダ７に接着可能な手段を備えている。
【００３４】
ボビンは、ストリップ６の取付手段に設けられた駆動・接合用プーリ13にストリップ６を巻き戻す。
プーリ13により、粘着ストリップ６を開・閉手段８およびスライダ７に取り付けることができる。それはストリップ６を開・閉手段８およびスライダ７に案内することができる溝をその端部に有するディスクから構成される。ディスクの中心平面は装置10におけるバッグ１の通過平面に直角になっている。
【００３５】
リンク12は、基本的には、一方の側がプーリ13のディスクの中心を通過している軸19' に、他方の側がバッグ１の側面２、３に実質上平行な軸19に接続しているロッドを備えている。
【００３６】
プーリ13は、軸19' の回りを自由に回転でき、一方、リンク12は軸19を中心に回転できるようになっている。
バネ手段14は、軸19を中心とするリンク12の回転運動を制御するとともに、それを開・閉手段８およびスライダ７に対して押しつけている。
【００３７】
バネ手段14が偏倚していることから、プーリは、開・閉手段８およびスライダ７にストリップ６を接着させるに十分な圧力を与えている。
このような接合方法のために、従来技術におけるフィルムを用いる場合のように融着ジョーを使用する必要がないなど特に顕著な効果が得られる。そのため開・閉手段８ばかりでなくスライダ７も損傷を受けることがないのである。
【００３８】
バッグ１の通過する平面に直角な平面において動くことができるリンク12によって駆動用のプーリ13が作動されることから、ストリップ６が、開・閉手段８の外側の面に、またスライダ７の外側の面に容易に接合され得るという結果をもたらす。それらの部位は、この平面内において異なった位置を占めるのである。
【００３９】
一連のバッグは、個々のバッグとするために、縁部22において切断され、融着される。
したがって、使用者は、ストリップ６の端部17を掴んでストリップ６を剥がすだけでよく、それによりバッグ１を開くことができる。
【００４０】
図３、４に示す有利な態様によれば、開・閉手段８と境界ライン15とが交差する点に位置するバッグ１とバッグ１との分離領域において、例えば半円形ノッチのようなノッチ16を有している。各ノッチの凹みはバッグの上の方を向いて設けられている。ノッチの形状はバッグ１の下方に向かって凸形になっている。図４に示すように、ノッチは、図３の分離ライン15の切断および融着によって得られた横縁部40から開始しており、そして、上方に向かってまたバッグ１の開口部５の方向に伸びていて、開・閉手段８と交差する。
【００４１】
図３および図４に示すように、ノッチ16は各バッグ１の両方の横縁部に設けるのが好ましい。これにより、使用者は横縁部40の一方か他方を選んで粘着ストリップ６を引き剥がせばよい。
【００４２】
ノッチ16のおかげで、使用者による操作の際に、ストリップ６の一方の端部17に容易に近づくことができる。
各ノッチ16は、公知のプラスチックフィルムの穴あけ装置および開・閉装置によって形成される。このノッチ形成装置はバッグの横縁部40に穴あけを行うように作動され、これは、好ましくは、境界ライン15の融着・切断の前に行う。
【００４３】
図４は、最初の使用の際に、開封インジケータ手段６を取り外すときの様子を模式的に示す。
使用者は、開・閉手段８の端部に位置するノッチ16によって、開・閉手段８の端部17に容易に近づくことができ、粘着ストリップを容易に引き剥がすことができ、これにより粘着ストリップは開・閉手段８およびスライダ７の表面から解放される。そして、スライダの移動が自由になり、バッグを開けることができるようになる。
【００４４】
有利には、バンドを一旦解放してしまってからは、ストリップを再び接合することができないようにすることで、悪意のある者による開封インジケータの取り替えを阻止することができる。
【図面の簡単な説明】
【００４５】
【図１】すでに述べたように、従来技術によるバッグであって開封インジケータを有するバッグの実現性ある例の模式的説明図である。
【図２】すでに述べたように、従来技術によるバッグであって開封インジケータを有するバッグの実現性ある別の例の模式的説明図である。
【図３】本発明によりバッグを製造する実現性ある方法の模式的説明図である。
【図４】図３の方法で製造したバッグから開封インジケータを取り外す方法を示す説明図である。
【図１】
2005138859.tif 000003
【図２】
2005138859.tif 000004
【図３】
2005138859.tif 000005
【図４】
2005138859.tif 000006
【外国語明細書】
2005138859000001.pdf